(57)【要約】【課題】簡単な構成にて耐寒性が高く保温機能に優れたタイツを提供すること。【解決手段】パンティ部１２０とレッグ部１４０及びフット部１６０からなり、当該フット部１６０はソール部１６４及びこのソール部１６４に隣接するトゥー部１６２とから構成される衣類１００に於いて、上記フット部１６０のソール部１６４からトゥー部１６２にかけて吸湿発熱繊維からなる布地１８０またはこの吸湿発熱繊維１８０と同等の機能を有する繊維からなる布地を衣類１００の内側に位置するよう設けたことを特徴とする。【選択図】図１
2014227642.tif 000002
【特許請求の範囲】
【請求項１】
パンティ部とレッグ部及びフット部からなり、
当該フット部はソール部及びこのソール部に隣接するトゥー部とから構成される衣類に於いて、
上記フット部のソール部からトゥー部にかけて吸湿発熱繊維からなる布地またはこの吸湿発熱繊維と同等の機能を有する繊維からなる布地を衣類の内側に位置するよう設けたことを特徴とする衣類。
【請求項２】
上記フット部は上記ソール部に隣接するヒール部を有し、
このヒール部に吸湿発熱繊維からなる布地またはこの吸湿発熱繊維と同等の機能を有する繊維からなる布地を設けたことを特徴とする請求項１記載の衣類。
【請求項３】
上記吸湿発熱繊維からなる布地またはこの吸湿発熱繊維と同等の機能を有する繊維からなる布地に消臭機能を付加したことを特徴とする請求項１または請求項２記載の衣類。
【発明の詳細な説明】
【技術分野】
【０００１】
本発明は、足裏から爪先にかけての部位を改良したタイツやストッキング等の衣類、特に当該部位の保温機能の改善を図ったタイツやストッキング等の衣類に関するものである。
【背景技術】
【０００２】
従来、例えばストッキングよりも太い糸が使用されて縫製されるタイツは、耐寒性が高いものと考えられていた。これはストッキングに比べてタイツの方が相対的に耐寒性が高いというだけであって、絶対的に耐寒性に優れるという訳ではなかった。従って、冬季の寒さに対しては、装着者は、例えばタイツを身に付けた上でさらに靴下を履いたり、或いは足裏や靴底にカイロを貼ったりして暖を取るといったように自らが工夫して防寒対策をせざるを得ないものであった。
【０００３】
特許文献１に開示されているように、保温性の向上及び吸湿性を付与可能としたタイツが提案されている。このものにあっては、足部全体をタイツの他の部分とは異なる特殊な縫製を施すことにより、保温性の向上と吸湿性の付与を可能としたものである。
【０００４】
また、特許文献２に開示されているように、足部から膝上部にかけて厚手の生地にしたタイツが提案されている。このものにあっては、膝上部からパンティ部までは伸縮性を有する薄手の生地で形成し接続部にて厚手の生地と接続させたものである。
【先行技術文献】
【特許文献】
【０００５】
【特許文献１】特開２０１２−１８４５２８号公報
【特許文献２】登録実用新案第３０４２３５８号公報
【発明の概要】
【発明が解決しようとする課題】
【０００６】
上述したように従来のタイツ等の衣類にあっては、タイツ等の装着者がタイツ等の上に靴下を履いたり或いは足裏や靴底にカイロを貼ったりすることにより、寒さに対処していた。しかし、この対処の仕方では、装着者に手間を強いることになり煩わしいものであった。しかも、見栄えも悪く靴の履き心地も悪いものであった。
また、特許文献１に記載されているものにあっては、特殊な縫製によるものであるため、製造コストの上昇を招き、高価なタイツとなってしまう虞があった。
さらに、特許文献２に記載されているものにあっては、厚手の生地と薄手の生地を接続部を介して繋げたものであり、前述同様に製造コストの上昇を招き、高価なタイツとなってしまう虞があった。
【０００７】
そこで本発明は上記事情を考慮してなされたものであり、上述不具合を解消し、簡単な構成にて耐寒性が高く保温機能に優れた衣類を提供することを目的とする。
【課題を解決するための手段】
【０００８】
本発明は、上記目的を達成するために以下の通りに構成することを特徴とする。
【０００９】
（１）パンティ部とレッグ部及びフット部からなり、当該フット部はソール部及びこのソール部に隣接するトゥー部とから構成される衣類に於いて、上記フット部のソール部からトゥー部にかけて吸湿発熱繊維からなる布地またはこの吸湿発熱繊維と同等の機能を有する繊維からなる布地を衣類の内側に位置するように設けるよう構成したことを特徴とする。
【００１０】
（２）上記（１）の構成にあって、上記フット部は上記ソール部に隣接するヒール部を有し、このヒール部に吸湿発熱繊維からなる布地またはこの吸湿発熱繊維と同等の機能を有する繊維からなる布地を設けるよう構成したことを特徴とする。
【００１１】
（３）上記（１）または（２）の構成にあって、上記吸湿発熱繊維からなる布地またはこの吸湿発熱繊維と同等の機能を有する繊維からなる布地に消臭機能を付加するよう構成したことを特徴とする。
【００１２】
上記構成によれば、耐寒性が高く保温機能に優れたタイツ等の衣類を実現できるものである。特に、保温対策の難しい特定部位での耐寒性及び保温機能の向上を図れるので、実用的にも有用なものである。しかも吸湿発熱繊維からなる布地を特定部位に設けるという簡単な構成で実現できるので、製造コスト的にも安価で経済的なものである。加えて、吸湿発熱繊維からなる布地が設けられたことによりフット部の強度も増し耐久性の向上も図れる。また、吸湿発熱繊維からなる布地がクッション材としても機能し、足裏への衝撃低減も可能となるものである。さらに、吸湿発熱繊維からなる布地がタイツ等の衣類の内側に設けられているので、外観からは吸湿発熱繊維からなる布地の存在を視認することができないので、見栄えも良いものである。また、従来のように靴下を重ねて履いたり或いはカイロを貼る必要もなくなるので、靴の履き心地も良くなるものである。
【００１３】
また、上記構成によれば、トゥー部からヒール部にかけて足裏全体が暖かくなるよう構成されているので、身体全体への血行促進効果も期待できるものである。
【００１４】
また、上記構成によれば、吸湿発熱繊維からなる布地に消臭機能を付加したので、蒸れによる異臭発生の防止効果もあり、衛生的観点からも優れたものである。
【発明の効果】
【００１５】
本発明によれば、耐寒性及び保温機能に優れたタイツ等の衣類を簡単な構成にて実現でき、実用的且つ経済的効果を奏するものである。
【図面の簡単な説明】
【００１６】
【図１】本発明の実施形態に係るタイツの全体を概略的に示す正面図である。
【図２】同実施形態に係り、タイツのフット部の構造を概略的に示す側面図である。
【図３】同実施形態の変形例に係り、タイツのフット部の構造を概略的に示す側面図である。
【発明を実施するための形態】
【００１７】
以下本発明の一実施形態につき、図を参照して説明する。
【００１８】
本実施形態に係る衣類のタイツ１００は、装着者の腰部周りに位置することになるパンティ部１２０、このパンティ部１２０の下部に形成され装着者の脚部周りに位置することになるレッグ部１４０及びこのレッグ部１４０の下部に形成され装着者の足部周りに位置することになるフット部１６０とから構成されている。このタイツ１００のパンティ部１２０及びレッグ部１４０は、従来同様の構成であり、例えばストレッチサテン地やナイロン地等伸縮性を持たせた布地でフィット性を有するよう縫製されている。
フット部１６０の先端部分には、装着者の足指部分の裏側から表側、即ち爪先部分に位置することになるトゥー部１６２が形成されている。また、フット部１６０には、このトゥー部１６２に隣接して装着者の足裏全体に位置することになるソール部１６４が形成されている。さらに、フット部１６０には、このソール部１６４に隣接して装着者の踵部位に位置することになるヒール部１６６が形成されている。
而してフット部１６０のトゥー部１６２からソール部１６４には、その内側部分（タイツ１００の内側）に吸湿発熱繊維からなる布地１８０が取着されている。この布地１８０は、装着者の足裏等から発生する汗を吸収することにより発熱作用を起こすものである。また、この布地１８０には、消臭機能を有するデオドラント繊維が埋め込まれている。なお、この消臭機能は、埋め込み式のデオドラント繊維ではなく、消臭機能を有する薬剤を布地１８０に塗布するよう構成してもよいものである。
【００１９】
上記構成につき、その作用を以下に説明する。
装着者の身に付けられたタイツ１００は、フット部１６０が装着者の足部全体を包み込むような状態になる。この状態では、布地１８０が装着者の足指全体から足裏全体にも密着することになる。装着者の足裏等からの発汗作用により水分が生じると、布地１８０がその水分を吸収して発熱することになる。この発熱作用により、装着者は足裏から足指全体にかけて暖かさを感じることになる。また、布地１８０に付加された消臭機能により、蒸れによる異臭発生が防止されることになる。
【００２０】
上記実施形態によれば、フット部１６０のトゥー部１６２からソール部１６４にかけて吸湿発熱繊維からなる布地１８０を設けたので、タイツ１００の装着者の足が冷えることなく保温状態を保てるとともに、身体全体の血行促進も図れるものである。しかも布地１８０には消臭機能が付加されているので、蒸れによる異臭発生を防止することができ且つ足裏から足指全体にかけて清潔に保つこともでき、衛生面での優れた効果を奏するものである。加えて、布地１８０が設けられたことにより強度も増し、耐久性の向上も図れるものである。また、布地１８０がクッション材としても機能し、足裏への衝撃低減も可能となるものである。さらに、外観からは布地１８０の存在を視認することができないので、見栄えも良いものである。また、従来のように靴下を重ねて履いたり或いはカイロを貼る必要もなくなるので、靴の履き心地も良くなるものである。
【００２１】
本発明は、上記実施形態に限定されることはなく図３の変形例に示すようにトゥー部１６２からソール部１６４を介してヒール部１６６までを、消臭機能が付加された吸湿発熱繊維からなる布地１９０を取着してもよい。このように構成することにより、装着者は踵から足裏を介して足指全体にかけて暖かさを感じることができるようになる。同様に布地１９０に付加された消臭機能により、蒸れによる異臭発生が防止されることにもなる。
また、布地１８０，１９０のフット部１６０への取着方法は、縫製によるものであってもよいし、熱融着や圧着により設けるようにしてもよいものである。なお、布地１８０，１９０には吸湿発熱繊維を用いているが、吸湿発熱繊維と同等の機能を有する繊維を用いても良いものである。
上記実施形態では足の形をしたフット部１６０を有するタイプのタイツを用いたが、明確な足の形をした部分がなくレッグ部の先端部分が筒状に編まれて踵がわからないタイプのタイツにも勿論適用可能である。この場合、装着者の足部に位置することになるタイツ先端部分内側に吸湿発熱繊維を取着すればよいものである。
また、タイツに限らずパンティストッキングにも適用可能なことは勿論である。
本発明は、本発明の趣旨を逸脱しない限り種々の変形が可能なことは勿論である。
【符号の説明】
【００２２】
１００    …タイツ（衣類）
１２０    …パンティ部
１４０    …レッグ部
１６０    …フット部
１６２    …トゥー部
１６４    …ソール部
１６６    …ヒール部
１８０    …布地（吸湿発熱繊維）
１９０    …布地（吸湿発熱繊維）
【図１】
2014227642.tif 000003
【図２】
2014227642.tif 000004
【図３】
2014227642.tif 000005